【事件の表示】
　特許第２８３４８９７号「冷凍装置」の特許に対する特許異議の申立てについて、次のとおり決定する。
【結論】
　訂正を認める。
　特許第２８３４８９７号の特許を維持する。
【理由】
Ｉ．手続の経緯
　特許第２８３４８９７号に係る発明についての出願は、平成３年４月１０日に特許出願され、平成１０年１０月２日にその発明について特許の設定登録がなされ、その後、その特許について、異議申立人大同ほくさん株式会社より特許異議の申立てがなされ、取消理由通知がなされ、その指定期間内である平成１１年１０月４日に訂正請求がなされたものである。
ＩＩ．訂正の適否についての判断
１．訂正の内容
　特許権者が求めている訂正の内容は以下のａ、ｂ、ｃのとおりである。
ａ．願書に添付した明細書（以下、「特許明細書」という。）の特許請求の範囲の請求項１に記載された「内部にガス状冷媒が充填されたコンプレッサと、蓄冷材が充填された蓄冷器と、中空のパルスチュ−ブと、バッファタンクとをパイプを介して直列に連結し、前記蓄冷器とパルスチュ−ブとの間に低温取出用熱交換器を設けるとともに、前記バッファタンクとパルスチュ−ブとの間に多孔状の熱交換器を設けてなる冷凍装置。」を、「内部にガス状冷媒が充填されたコンプレッサと、蓄冷材が充填された蓄冷器と、中空のパルスチュ−ブと、バッファタンクをパイプを介して直列に連結し、前記蓄冷器とパルスチューブとの間に設けられた低温取出用熱交換器と、前記パルスチュ−ブのバッファタンク側端部に設けられた放熱用、熱交換器と、前記パルスチューブの放熱用熱交換器側端部に設けられた多孔状の熱交換器とを有していることを特徴とする冷凍装置。」と訂正する。
ｂ．特許明細書の発明の詳細な説明の欄における段落【００１５】に記載された「【課題を解決するための手段】本発明は、内部にガス状冷媒が充、填されたコンプレッサと、蓄冷材が充填された蓄冷器と、中空のパルスチュ−ブと、バッファタンクとをパイプを介して直列に連結し、前記蓄冷器とパルスチュ−ブとの間に低温取出用熱交換器を設けるとともに、前記バッファタンクとパルスチユ−ブとの間に多孔状の熱交換器を設けてなるものである。」を、「【課題を解決するための手段】本発明は、内部にガス状冷媒が充填されたコンプレッサと、蓄冷材が充填された蓄冷器と、中空のパルスチュ−ブと、バッファタンクをパイプを介して直列に連結し、前記蓄冷器とパルスチュ−ブとの間に設けられた低温取出用熱交換器と、前記パルスチュ−ブのバッファタンク側端部に設けられた放熱用熱交換器と、前記パルスチュ−ブの放熱用熱交換器側端部に設けられた多孔状の熱交換器とを有するものである。」と訂正する。
ｃ．特許明細書の発明の詳細な説明の欄における段落【００３６】に記載された「【発明の効果】本発明は、内部にガス状冷媒が充填されたコンプレッサと、蓄冷材が充填された蓄冷器と、中空のパルスチュ−ブと、バッファタンクとをパイプを介して直列に連結し、前記蓄冷器とパルスチュ−ブとの間に低温取出用熱交換器を設けるとともに、前記バッファタンクとパルスチュ−ブとの間に多孔状の熱交換器を設けたものであり、圧縮過程ではパルスチュ−ブ内で圧縮された冷媒ガスが熱交換器の多孔状部分を通過する際、断熱膨張させるので冷却効果が向上し、また膨張過程では高温端部からの熱侵入を少なくすることができ、冷凍能力の高い極低温冷凍装置が提供できる。」を、「【発明の効果】以上述べたとおり本発明によれば、圧縮過程ではパルスチュ−ブ内の圧縮された冷媒ガスが多孔状熱交換器の多孔状部分を通過する際、断熱膨張されるので冷却効果が向上し、また膨張過程では放熱用熱交換器部分にある冷媒が低温取出用熱交換器部分へ熱を運ぶことによる高温端部から低温取出用熱交換器への熱侵入を抑えることができ、冷凍能力の高い極低温冷凍装置が提供できる。」と訂正する。
２．訂正の目的の適否、新規事項の有無及び拡張・変更の存否
（１）上記ａの訂正事項に関する記載として、特許明細書の発明の詳細な説明には、従来技術の項に「４１は前記パルスチュ−ブ側端部に設けられた放熱用熱交換器であり、水冷式あるいは空冷の放熱フィンが用いられる。」（段落【０００８】）と記載され、発明が解決する課題の項に「しかしながら、この種従来の冷凍装置では、低温取出用熱交換器６がある程度低温になってくると、放熱用熱交換器４１に在る冷媒が低温取出用熱交換器６まで侵入するときに外部からの熱侵入が起こり、これが原因で得られる温度が限られてしまうという問題点があった。」（段落【００１２】）と記載され、作用の項に「従って、放熱用熱交換器部分にある冷媒が低温取出用熱交換器部分へ熱を運ぶことによる該低温取出用熱交換器への熱侵入を抑えると共に、冷媒が多孔状の熱交換器を通過する際の膨張効果によって、従来の構造よりも冷凍発生効果を高め、冷凍装置としての冷凍能力が向上する。」（段落【００１６】）と記載され、さらに実施例の項には「４２は前記パルスチュ−ブ４の熱交換器４１側端部に設けられたメッシュを内蔵した多孔状熱交換器で、膨張効果による圧縮熱の放熱と熱交換器４１等の高温部からの熱侵入を少なくするためのものである。」（段落【００２４】）と記載されており、パルスチュ−ブのバッファタンク側端部に放熱用熱交換器を設けること、多孔状の熱交換器をパルスチュ−ブの放熱用熱交換器端部に設けることが、特許明細書の発明の詳細な説明に記載されている。
そうすると、上記ａの訂正は、特許明細書に記載された事項の範囲内において、「発明が解決しようとする課題」の項及び「作用」の項に記載された「放熱用熱交換器」を追加するとともに、「多孔状の熱交換器」を特許明細書に記載された「パルスチュ−ブの放熱用熱交換器端部に設けられた多孔状の熱交換器」と限定するものであるから、特許請求の範囲の減縮に該当するものであって、新規事項の追加に該当せず、また、実質上特許請求の範囲を拡張、又は変更するものでもない。
　上記ｂ、ｃの訂正は、特許請求の範囲の減縮に伴う訂正であり、いずれも上記検討したように特許明細書の詳細な発明に記載されているから、明瞭でない記載の釈明に該当するものであり、新規事項の追加に該当せず、また実質上特許請求の範囲拡張し、又は変更するものでもない。
３．独立特許要件
（１）訂正明細書の請求項１に係る発明
　訂正明細書の請求項１に係る発明（以下、「本件発明」という。）は、その特許請求の範囲の請求項１に記載された事項により特定されるとおりのものである。
（２）引用刊行物
　当審において、平成１１年８月１６日付けで通知した取消理由に引用した刊行物１（「Ｃｒｙｏｇｅｎｅｎｉｃｓ」、ＵＫ、Ｂｕｔｔｅｒｗｏｒｔｈ　ＳｃｉｅｎｔｉｆｉｃＬｔｄ、１９９０Ｖｏｌ　３０　ｊａｎｕａｒｙ、ｐ４９−ｐ５１（Ｄｅｖｅ１ｏｐｍｅｎｔ　ｏｆ　ａ　ｓｉｎｇｌｅ−ｓｔａｇｅ　ｐｕｌｓｅ　ｔｕｂｅ　ｒｅｆｒｉｇｅｒａｔｏｒ　ｃａｐａｂｂｌｅ　ｏｆ　ｒｅａｃｈｉｎｇ　４９Ｋ））には、図面とともに、「内部にヘリウムガスが充填されたコンプレッサと、銅のスクリーンで満たされた蓄冷器と、ステンレス・スチール製のパルスチュ−ブと、ガスリザーバとをパイプを介して直列に連結し、ガスリザーバとパルスチュ−ブとの間に直径１ｍｍ以下の小さな穴が多くあいた赤銅製の環状の板を有する熱交換器を設けてなる冷凍装置」に係る発明が記載されている。また、同じく引用した刊行物２（特開平１−１１４６７０号公報及び刊行物３（実願昭６２−１５６０８８号（実開平１−６０１５８号）のマイクロフィルム）には、それぞれ、パルスチュ−ブ型の極低温冷凍装置において、蓄冷器とパルスチュ−ブとの間に低温取出用熱交換器を設けた点が記載されている。
（３）対比・判断
　本件発明と刊行物１乃至３に記載されたものを対比すると、刊行物１乃至３のいずれにも、本件発明を特定する事項である「パルスチュ−ブの放熱用熱交換器器側端部に設けられた多孔状の熱交換器を有する」点については何ら記載されておらず、また、それを示唆する記載もない。そして、当該事項により、本件発明は、「圧縮過程ではパルスチュ−ブ内の圧縮された冷媒ガスが多孔状熱交換器の多孔状部分を通過する際、断熱膨張されるので冷却効果が向上し、また膨張過程では放熱用熱交換器部分にある冷媒が低温取出用熱交換器部分へ熱を運ぶことによる高温端部から低温取出用熱交換器への熱侵入を抑えることができ、冷凍能力の高い極低温冷凍装置が提供できる。」という顕著な効果を奏するものであり、本件発明は、上記刊行物１乃至３に記載されたものから当業者が容易に発明をすることができたものとすることができない。
　したがって、本件発明は、特許出願の際独立して特許を受けることができるものである。
４．むすび
　以上のとおりであるから、上記訂正は、特許法等の一部を改正する法律（平成６年法律１１６号）附則第６条第１項の規定によりなお従前の例によるとされる、特許法第１２０条の４第２項及び同条第３項で準用する１２６条第２〜４項の規定に適合するので、当該訂正を認める。
ＩＩＩ．特許異議申立てについての判断
１．申立の理由の概要
　申立人大同ほくさん株式会社は、請求項１に係る発明は、甲第１号証（「Ｃｒｙｏｇｅｎｅｎｉｃｓ」、ＵＫ、Ｂｕｔｔｅｒｗｏｒｔｈ　ＳｃｉｅｎｔｉｆｉｃＬｔｄ、１９９０　Ｖｏ１　３０　ｊａｎｕａｒｙ、ｐ４９−ｐ５１（Ｄｅｖｅｌｏｐｍｅｎｔ　ｏｆ　ａ　ｓｉｎｇｌｅ−ｓｔａｇｅ　ｐｕｌｓｅ　ｔｕｂｅ　ｒｅｆｒｉｇｅｒａｔｏｒ　ｃａｐａｂｂｌｅ　ｏｆ　ｒｅａｃｈｉｎｇ　４９Ｋ））に記載された発明であるから、特許法第２９条第１項第３号に該当し特許を受けることができない、もしくは甲第１号証に記載された発明に基づいて当業者が容易に発明をすることができたものであるから、特許法第２９条第２項の規定により特許を受けることができない旨主張している。
２．判断
　甲第１号証には、上記ＩＩ．３．（３）で示したように、本件発明を特定する事項である「パルスチュ−ブの放熱用熱交換器器側端部に設けられた多孔状の熱交換器を有する」事項が記載されていないから、本件発明は、甲第１号証に記載された発明とも、また甲第１号証に記載された発明に基づいて当業者が容易に発明をすることができたものであるとすることもできない。
　また、他に本件発明を取り消すべき理由を発見しない。
　よって、結論のとおり決定する。
【異議決定日】
平成１１年１０月２９日（１９９９．１０．２９）
【訂正の要旨】
１．願書に添付した明細書の特許請求の範囲の請求項１に記載された
　「内部にガス状冷媒が充填されたコンプレッサと、蓄冷材が充填された蓄冷器と、中空のパルスチュ−ブと、バッファタンクとをパイプを介して直列に連結し、前記蓄冷器とパルスチューブとの間に低温取出用熱交換器を設けるとともに、前記バッファタンクとパルスチュ−ブとの間に多孔状の熱交換器を設けてなる冷凍装置。」を、
　「内部にガス状冷媒が充填されたコンプレッサと、蓄冷材が充填された蓄冷器と、中空のパルスチュ−ブと、バッファタンクをパイプを介して直列に連結し、前記蓄冷器とパルスチュ−ブとの間に設けられた低温取出用熱交換器と、前記パルスチュ−ブのバッファタンク側端部に設けられた放熱用熱交換器と、前記パルスチュ−ブの放熱用熱交換器側端部に設けられた多孔状の熱交換器とを有していることを特徴とする冷凍装置。」と訂正する。
２．願書に添付した明細書の発明の詳細な説明の段落【００１５】に記載された　
　「【課題を解決するための手段】本発明は、内部にガス状冷媒が充填されたコンプレッサと、蓄冷材が充填された蓄冷器と、中空のパルスチュ−ブと、バッファタンクとをパイプを介して直列に連結し、前記蓄冷器とパルスチュ−ブとの間に低温取出用熱交換器を設けるとともに、前記バッファタンクとパルスチュ−ブとの間に多孔状の熱交換器を設けてなるものである。」を、
　「【課題を解決するための手段】本発明は、内部にガス状冷媒が充填されたコンプレッサと、蓄冷材が充填された蓄冷器と、中空のパルスチュ−ブと、バッファタンクをパイプを介して直列に連結し、前記蓄冷器とパルスチュ−ブとの間に設けられた低温取出用熱交換器と、前記パルスチュ−ブのバッファタンク側端部に設けられた放熱用熱交換器と、前記パルスチューブの放熱用熱交換器側端部に設けられた多孔状の熱交換器とを有するものである。」
と訂正する。
３．願書に添付した明細書の発明の詳細な説明の段落【００３６】に記載された　
　「【発明の効果】本発明は、内部にガス状冷媒が充填されたコンプレッサと、蓄冷材が充填された蓄冷器と、中空のパルスチュ−ブと、バッファタンクとをパイプを介して直列に連結し、前記蓄冷器とパルスチュ−ブとの間に低温取出用熱交換器を設けるとともに、前記バッファタンクとパルスチュ−ブとの間に多孔状の熱交換器を設けたものであり、圧縮過程ではパルスチュ−ブ内で圧縮された冷媒ガスが熱交換器の多孔状部分を通過する際、断熱膨張させるので冷却効果が向上し、また膨張過程では高温端部からの熱侵入を少なくすることができ、冷凍能力の高い極低温冷凍装置が提供できる。」を、「【発明の効果】以上述べたとおり本発明によれば、圧縮過程ではパルスチュ−ブ内の圧縮された冷媒ガスが多孔状熱交換器の多孔状部分を通過する際、断熱膨張されるので冷却効果が向上し、また膨張過程では放熱用熱交換器部分にある冷媒が低温取出用熱交換器部分へ熱を運ぶことによる高温端部から低温取出用熱交換器への熱侵入を抑えることができ、冷凍能力の高い極低温冷凍装置が提供できる。」と訂正する。
（５４）【発明の名称】
冷凍装置
（５７）【特許請求の範囲】
　　【請求項１】　内部にガス状冷媒が充填されたコンプレッサと、蓄冷材が充填された蓄冷器と、中空のパルスチュ−ブと、バッファタンクをパイプを介して直列に連結し、前記蓄冷器とパルスチュ−ブとの間に設けられた低温取出用熱交換器と、前記パルスチュ−ブのバッファタンク側端部に
設けられた
と、前記パルスチュ−ブの放熱用熱交換器側端部に設けられた
とを有していることを特徴とする
【発明の詳細な説明】
　【０００１】
　　【産業上の利用分野】
　本発明は、パルスチュ−ブを使用して、低温取出用熱交換器に１００〜２０Ｋ（−１７３〜−２５３℃）の極低温を実現する冷凍装置に関するものである。
　【０００２】
　　【従来の技術】
　本出願人等が特願平１−３３５５６４号で提案した従来のこの種冷凍装置を図３に示す。
　【０００３】
　同図において１は内部に極低温（２０Ｋ以下）にて液体状態となるガス状冷媒、例えばヘリウムが充填されたコンプレッサであり、シリンダ１１内にピストン１２が移動可能に設けられている。
　【０００４】　　
　２は前記コンプレッサ１にパイプ３を介して連結された蓄冷器であり、内部に銅や鉛等の蓄冷材２１を充填している。
　【０００５】
　４は前記蓄冷器２にパイプ５を介して連結されたパルスチュ−ブであり、ステンレス鋼より形成されている。
　【０００６】
　６は１００〜２０Ｋの極低温を取り出すための低温取出用熱交換器であり銅等の熱伝導性の高い材料からなり、前記パイプ５の途中に設けられている。
　【０００７】
　７は前記パルスチュ−ブ４にパイプ８を介して連結されたバッファタンクであり、前記パイプ８の途中にニ−ドル弁等のオリフィス弁９が設けられている。
　【０００８】
　２１は前記蓄冷器２のコンプレッサ１側端部に設けられた放熱用熱交換器、４１は前記パルスチュ−ブ４のバッファタンク７側端部に設けられた放熱用熱交換器であり、水冷式あるいは空冷の放熱フィンが用いられる。またこれらの材料としては熱伝導率の高い銅等が用いられている。
　【０００９】
　尚、前記蓄冷器２、低温取出用熱交換器６、パルスチュ−ブ４、及びこれらを連結するパイプ５は真空チャンバ（真空度１０−４ｔｏｒｒ以下）１０に収納されている上記の構成においてピストン１２の図３下方向への移動による圧縮過程においてコンプレッサ１で圧縮したガス状冷媒は、放熱用熱交換器２１及び蓄冷器２を通る間に冷却されてパルスチュ−ブ４内に流入し、このパルスチュ−ブ４内の残留冷媒は圧縮されてその圧縮熱が放熱用熱交換器４１に放熱され、さらに冷媒がオリフィス弁９を通る間に断熱膨張により冷却されてバッファタンク７内に流入する。
　【００１０】
　その後、ピストン１１の図３上方向への移動による膨張過程においてコンプレッサ１内へ前記冷媒を吸引動作することで前記バッファタンク７内に蓄積されたガス状冷媒を、復帰移動させ、これを前記パルスチュ−ブ４内で断熱膨張させ、更に低温化させて低温取出用熱交換器６及び蓄冷器２を冷却させて前記コンプレッサ１に帰還させる。
　【００１１】
　このように冷媒の往復移動サイクルを繰り返すことにより、低温取出用熱交換器６にて極低温を得る様にしたものである。
　【００１２】
　　【発明が解決しようとする課題】
　しかしながら、この種従来の冷凍装置では、低温取出用熱交換器６がある程度低温になってくると、放熱用熱交換器４１に在る冷媒が低温取出用熱交換器６まで侵入するときに外部からの熱侵入が起こり、これが原因で得られる温度が限られてしまうという問題点があった。
　【００１３】
　また、前記熱侵入を防ぐための方法としてはパルスチュ−ブ４部分を長くする方法が考えられるが、このようにすると冷凍装置自身が大きくなり、大型の圧縮機も必要となるという問題点があった。
　【００１４】
　本発明は斯かる従来技術の問題点に鑑み、構造が簡単で冷凍能力の高い極低温用の冷凍装置を提供することを目的とするものである。
　【００１５】
　　【課題を解決するための手段】
　本発明は、内部にガス状冷媒が充填されたコンプレッサと、蓄冷材が充填された蓄冷器と、中空のパルスチュ−ブと、バッファタンクをパイプを介して直列に連結し、前記蓄冷器とパルスチュ−ブとの間に
設けられた
と、前記パルスチュ−ブのバッファタンク側端部に設けられた放熱用熱交換器と、前記パルスチュ−ブの放熱用熱交換器側端部に設けられた
とを有する
　【００１６】
　　【作用】
　上記の手段により、圧縮過程でコンプレッサ−で圧縮されたガス状冷媒は、バッファタンクとパルスチュ−ブとの間の多孔状の熱交換器を通過する際、各細孔で流路が狭くなり、減圧膨張により断熱膨張して冷却され、さらに放熱用熱交換器にて冷却される。次に前記冷媒が放熱用熱交換器からバッファタンクに流入する際、膨張して冷却される。
　【００１７】
　その後、膨張過程においてコンプレッサが吸引動作すると、パルスチュ−ブ内のガスは断熱膨張して低温化する。そしてバッファタンクの冷媒が復帰移動して多孔状の熱交換器で冷却され、低温化した後、パルスチュ−ブ内に入り、該チュ−ブの内部ガスを押し出す。こうしてパルスチュ−ブ内の冷媒は低温取出用熱交換器及び蓄冷器を冷却し、前記コンプレッサに帰還する。
　【００１８】
　従って、放熱用熱交換器部分にある冷媒が低温取出用熱交換器部分へ熱を運ぶことによる該低温取出用熱交換器への熱侵入を抑えると共に、冷媒が多孔状の熱交換器を通過する際の膨張効果によって、従来の構造よりも冷凍発生効果を高め、冷凍装置としての冷凍能力が向上する。
　【００１９】
　　【実施例】
　以下本発明の冷凍装置の一実施例を図１に基づいて詳細に説明する。尚前述の従来例と同じ構成については同一符号を付して示している。
　【００２０】
　同図において、１はコンプレッサ−で、シリンダ−１１の内部に往復動型のピストン１２を収納し、内部にガス状冷媒としてのヘリウムを充填している。
　【００２１】
　２はコンプレッサ１に配管接続された蓄冷器で、鉛や銅などから成る蓄冷材２２を収納している。２１は蓄冷器側放熱用熱交換器で、前記蓄冷器２のコンプレッサ１側端部に設けられ、水冷または空冷されるものである。
　【００２２】
　６は蓄冷器２にパイプ５を介して配管接続された低温取出用熱交換器、４は該低温取出用熱交換器６に配管接続されたステンレス鋼製のパルスチューブである。
　【００２３】
　７は前記パルスチュ−ブ４にパイプ８を介して配管接続されたバッファタンク、９は該パイプ８の途中に設けられたニ−ドル弁等のオリフィス弁、４１は前記パルスチュ−ブ４のバッファタンク７側に設けられた放熱用熱交換器である。
　【００２４】
　４２は前記パルスチュ−ブ４の熱交換器４１側端部に設けられたメッシュを内蔵した多孔状熱交換器で、膨張効果による圧縮熱の放熱と熱交換器４１等の高温部からの熱侵入を少なくするためのものである。
　【００２５】
　尚、前記蓄冷器２、パイプ５及びパルスチュ−ブ４は真空度１０−４ｔｏｒｒ以下の真空チャンバ１０内に収納され断熱されている。
　【００２６】
　上記の構成において、圧縮工程では前記パルスチュ−ブ４から押し出された冷媒を前記オリフィス弁９を通過させて前記バッファタンク７内に入れ、膨張工程では逆にバッファタンク７からの冷媒をオリフィス弁９と多孔状熱交換器４２を通過せしめて、前記パルスチュ−ブ４内に流入させる。
　【００２７】
　前記多孔状の熱交換器４２は、前記パルスチュ−ブ４と放熱用熱交換器４１の間に接続することで、この熱交換器４２の内部を冷媒が流通するように構成してある。この熱交換器４２は、具体的には、ステンレスまたはナイロン等の熱伝導性の悪い材料のメッシュである。そしてこの熱交換器４２は、そのメッシュ間隔で形成される多孔状部分で流路を狭くして冷媒を減圧膨張して噴射させると共に、熱交換器４１からの熱侵入を少なくするように機能する。
　【００２８】
　斯かる実施例の冷凍装置では、圧縮過程においてコンプレッサ１を圧縮動作させると、圧縮された冷媒ガスはその圧縮熱を放熱用熱交換器２１と蓄冷器４にて放熱してパルスチューブ４に流入し、このパルスチューブ４内の残留ガスを圧縮する。パルスチューブ４内での圧縮熱は前記多孔状の熱交換器１８と放熱用熱交換器４１で放熱し、冷却されてバッファータンク７に流入する。
　【００２９】
　その後、膨張過程においてコンプレッサ１を吸引動作させると、冷媒ガスは前記バッファタンク７から復帰移動して熱交換器４１で熱放出した後、パルスチュ−ブ４内で断熱膨張し、更に低温化して、低温取出用熱交換器６及び蓄冷器２を冷却してコンプレッサ１に戻る。
　【００３０】
　このように冷媒の往復移動サイクルを繰り返すことにより、低温取出用熱交換器６に１５０〜２０Ｋ（−１２３〜−２５３℃）の極低温が得られるようになる。
　【００３１】
　また前記冷凍装置では、圧縮過程の冷媒ガスは、多孔状の熱交換器４２の多孔状部分を通過する際、各細孔で減圧膨張により冷却される。また、この熱交換器４２は膨張過程でバッファタンク７と放熱用熱交換器４１部分の常温（３００Ｋ）付近の温度の冷媒ガスがパルスチュ−ブ４内に入る際に極低温の冷媒ガスと熱交換するため、パルスチュ−ブ４内に熱が侵入するのを防ぐ。従って、冷凍装置のシステムとしての冷凍能力が高まる。
　【００３２】
　図２は本発明の他の実施例を示す。この実施例は従来のオリフィスパルス管冷凍機のコンプレッサ１とパルス管高温端部分３１、３２を細い管２３にて接続し、その中間部に流量を調節するオリフィス弁２４を追加させた構造のダブルインレット型と呼ばれているオリフィスパルス管冷凍機に適用した例である。
　【００３３】
　この冷凍装置は、コンプレッサ１とパルス管高温端３１、３２との間に細い管２３とオリフィス弁２４を追加することによって、パルスチュ−ブ４内での圧縮・膨張の効果を高めようとするものである。
　【００３４】
　尚、この実施例では、細い管２２とオリフィス弁２３の追加以外は前記実施例と同様に構成されているため、その他の構成についての説明は省略する。
　【００３５】
　また、前記コンプレッサ１については、レシプロタイプのものの代わりに、ロ−タリコンプレッサとガス吸気・排気弁との組み合わせから成るもので構成するものも実施できる。
　【００３６】
　　【発明の効果】
　
以上述べたとおり本発明によれば、
の
れ
放熱用熱交換器部分にある冷媒が低温取出用熱交換器部分へ熱を運ぶことによる
低温取出用熱交換器へ
抑える
【図面の簡単な説明】
　　【図１】
　　図１は、本発明の一実施例を示す冷凍装置のシステム構成図である。
　　【図２】
　　図２は、本発明の他の実施例を示す冷凍装置のシステム構成図である。
　　【図３】
　　図３は、従来の冷凍装置のシステム構成図である。
　　【符号の説明】
　　　　１　　　コンプレッサ
　　　　１１　　　シリンダ
　　　　１２　　　ピストン
　　　　２　　　蓄冷器
　　　　２２　　　蓄冷材
　　　　２１、４１　放熱用熱交換器
　　　　６　　　低温取出用熱交換器
　　　　４　　　パルスチュ−ブ
　　　　４２　　　多孔状熱交換器
　　　　１９　　　放熱用熱交換器
　　　　７　　　バッファタンク
　　　　９　　　オリフィス弁